(57)【要約】【課題】優れた揺動運動（例：首振り運動）を実現しうる釣り用ソフトルアーを提供すること。【解決手段】ソフトルアー１はその前部側に釣針７が取り付けられるものであり、ソフトルアー１の長さ方向において複数の分割片２Ａ、２Ｂに分割されるとともに、互いに隣り合う分割片２Ａ、２Ｂ同士が離間した状態で両分割片２Ａ、２Ｂ間にてソフトルアー１の長さ方向に連続する連結シート３を介して連結されている。両分割片２Ａ、２Ｂはそれぞれ軟質素材の成形体からなる。連結シート３は、両分割片２Ａ、２Ｂがそれぞれ有する可撓性よりも高い可撓性を有するシート材４で形成されている。【選択図】図１
0003231387.tif 000002
【実用新案登録請求の範囲】
【請求項１】
前部側に釣針が取り付けられる釣り用ソフトルアーであって、
ソフトルアーの長さ方向において複数の分割片に分割されるとともに、互いに隣り合う分割片同士が離間した状態で前記両分割片間にてソフトルアーの長さ方向に連続する連結シートを介して連結されており、
前記両分割片はそれぞれ軟質素材の成形体からなり、
前記連結シートは、前記両分割片がそれぞれ有する可撓性よりも高い可撓性を有するシート材で形成されている釣り用ソフトルアー。
【請求項２】
前記両分割片のうち一方の分割片が前記連結シートの長さ方向の一端部に固着されるとともに、他方の分割片が前記連結シートの長さ方向の他端部に固着されることにより、前記分割片同士が前記連結シートを介して連結されており、
前記連結シートの表面における少なくともその長さ方向の一端部及び他端部に、前記分割片に対してアンカー効果を発揮する複数の凹部又は／及び凸部が設けられている請求項１記載の釣り用ソフトルアー。
【請求項３】
前記一方の分割片が前記連結シートの長さ方向の一端部に、当該一端部との前記軟質素材の一体成形により固着されるとともに、
前記他方の分割片が前記連結シートの長さ方向の他端部に、当該他端部との前記軟質素材の一体成形により固着されている請求項２記載の釣り用ソフトルアー。
【請求項４】
前記シート材として網シート材が用いられている請求項１〜３のいずれかに記載の釣り用ソフトルアー。
【請求項５】
前記網シート材は、網目が亀甲状のハニカム網シート材である請求項４記載の釣り用ソフトルアー。
【請求項６】
前記シート材として不織布材が用いられている請求項１〜３のいずれかに記載の釣り用ソフトルアー。
【請求項７】
前記両分割片の離間距離は３ｍｍ以上である請求項１〜６のいずれかに記載の釣り用ソフトルアー。
【考案の詳細な説明】
【技術分野】
【０００１】
本考案は釣り用ソフトルアーに関する。
【０００２】
なお本明細書及び請求の範囲では、説明の便宜上、図１に示すように、ソフトルアーのリーリング時の状態におけるソフトルアーの前後上下左右方向を本考案に係るソフトルアーの前後上下左右方向と定義する。また、ソフトルアーの前後方向をソフトルアーの長さ方向ともいう。
【背景技術】
【０００３】
釣り用ルアーとして、例えば特開２００６−２２３２９６号公報（特許文献１）に開示された魚釣り用ルアーが知られている。このルアーは軟質素材からなり、したがってソフトルアーの範疇に入る。
【０００４】
このルアーでは、水中において魚らしい動き（揺動運動）を可能にするためルアーの長さ方向の所定部分が局部的に薄肉に形成されている。
【先行技術文献】
【特許文献】
【０００５】
【特許文献１】特開２００６−２２３２９６号公報
【考案の概要】
【考案が解決しようとする課題】
【０００６】
上述のルアーによれば、ルアーの薄肉部はルアーの他の部分と一体に形成されており、ルアーの薄肉部の素材はルアーの他の部分の素材と同じである。そのため、ルアーの動きを魚らしくするための薄肉部の物理的特性（可撓性、弾性等）に制約を受け、ルアーの動きを高めることが難しい。
【０００７】
本考案は上述した技術背景に鑑みてなされたものであり、本考案の目的は優れた揺動運動（例：首振り運動）を実現しうる釣り用ソフトルアーを提供することにある。
【課題を解決するための手段】
【０００８】
本考案は以下の手段を提供する。
【０００９】
１）  前部側に釣針が取り付けられる釣り用ソフトルアーであって、
ソフトルアーの長さ方向において複数の分割片に分割されるとともに、互いに隣り合う分割片同士が離間した状態で前記両分割片間にてソフトルアーの長さ方向に連続する連結シートを介して連結されており、
前記両分割片はそれぞれ軟質素材の成形体からなり、
前記連結シートは、前記両分割片がそれぞれ有する可撓性よりも高い可撓性を有するシート材で形成されている釣り用ソフトルアー。
【００１０】
２）  前記両分割片のうち一方の分割片が前記連結シートの長さ方向の一端部に固着されるとともに、他方の分割片が前記連結シートの長さ方向の他端部に固着されることにより、前記分割片同士が前記連結シートを介して連結されており、
前記連結シートの表面における少なくともその長さ方向の一端部及び他端部に、前記分割片に対してアンカー効果を発揮する複数の凹部又は／及び凸部が設けられている前項１記載の釣り用ソフトルアー。
【００１１】
３）  前記一方の分割片が前記連結シートの長さ方向の一端部に、当該一端部との前記軟質素材の一体成形により固着されるとともに、
前記他方の分割片が前記連結シートの長さ方向の他端部に、当該他端部との前記軟質素材の一体成形により固着されている前項２記載の釣り用ソフトルアー。
【００１２】
４）  前記シート材として網シート材が用いられている前項１〜３のいずれかに記載の釣り用ソフトルアー。
【００１３】
５）  前記網シート材は、網目が亀甲状のハニカム網シート材である前項４記載の釣り用ソフトルアー。
【００１４】
６）  前記シート材として不織布材が用いられている前項１〜３のいずれかに記載の釣り用ソフトルアー。
【００１５】
７）  前記両分割片の離間距離は３ｍｍ以上である前項１〜６のいずれかに記載の釣り用ソフトルアー。
【考案の効果】
【００１６】
本考案は以下の効果を奏する。
【００１７】
前項１では、連結シートが、両分割片がそれぞれ有する可撓性よりも高い可撓性を有するシート材で形成されることにより、ソフトルアーにおいて連結シートが各分割片よりも屈曲（撓曲）し易くなる。そのため、ソフトルアーは水中において優れた揺動運動を行いうる。
【００１８】
前項２では、連結シートの表面における少なくともその長さ方向の一端部及び他端部に、分割片に対してアンカー効果を発揮する複数の凹部又は／及び凸部が設けられることにより、各分割片の連結シートとの固着強度が高められる。そのため、ソフトルアーの耐用寿命を長くすることができる。
【００１９】
前項３では、各分割片の連結シートとの固着強度を確実に高めることができる。
【００２０】
前項４では、シート材として網シート材が用いられることにより、連結シートを確実に屈曲し易くすることができる。そのため、ソフトルアーの揺動運動を確実に高めることができる。
【００２１】
さらに、網シート材はその各網目孔が分割片に対してアンカー効果を発揮する凹部として機能するため、連結シートの表面にわざわざアンカー効果を発揮する凹部又は／及び凸部を形成する作業又は処理を行う必要がない。そのため、各分割片の連結シートとの固着強度を容易に高めることができる。
【００２２】
しかも、各分割片が連結シートに固着された状態では、各分割片において軟質素材が網シート材の各網目孔内で一体に繋がっているので、各分割片の連結シートとの固着強度が非常に高くなっている。そのため、ソフトルアーの耐用寿命を更に長くすることができる。
【００２３】
前項５では、網シート材がハニカム網シート材であることにより次の効果を奏する。すなわち、ハニカム網シート材は、一般に、菱形格子状や方形格子状の網シート材に比べて屈曲（撓曲）方向に方向性を有しないことから、網シート材がハニカム網シート材であることにより、連結シートの屈曲（撓曲）方向の均一化を図ることができる。そのため、ソフトルアーの揺動運動を確実に高めることができる。
【００２４】
前項６では、シート材として不織布材が用いられることにより、連結シートを確実に屈曲し易くすることができる。そのため、ソフトルアーの揺動運動を確実に高めることができる。
【００２５】
さらに、不織布材はその表面が凸凹しているため、連結シートの表面にわざわざアンカー効果を発揮する凹部又は／及び凸部を形成する作業又は処理を行う必要がない。そのため、各分割片の連結シートとの固着強度を容易に高めることができる。
【００２６】
前項７では、両分割片の離間距離が３ｍｍ以上であることにより、両分割片間における各分割片の揺動可能な角度を大きくすることができる。これにより、ソフトルアーの揺動運動時における揺動振幅を大きくすることができて、釣りたい魚に対する誘引効果を更に高めることができる。
【図面の簡単な説明】
【００２７】
【図１】図１は本考案の第１実施形態に係る釣り用ソフトルアーの斜視図である。
【図２】図２は同ソフトルアーの底面図である。
【図３】図３は同ソフトルアーの側面図である。
【図４】図４は同ソフトルアーの鉛直縦断面図である。
【図５】図５は本考案の第２実施形態に係る釣り用ソフトルアーの鉛直縦断面図である。
【考案を実施するための形態】
【００２８】
次に、本考案の幾つかの実施形態について図面を参照して以下に説明する。
【００２９】
図１〜４は、本考案の第１実施形態に係る釣り用ソフトルアー１を説明する図である。これらの図に示すように、ソフトルアー１は前後方向に長く概ね餌となる魚を模した形状を有するものであって、図４に示すようにソフトルアー１の前部側に釣針７が突き刺されて取り付けられるものである。釣針７のチモト部７ａには図示しないハリス等の釣糸の先端部が結着されている。
【００３０】
ソフトルアー１は、その鉛直縦断面に対して左右対称に形成されており、更に、ソフトルアー１の長さ方向（前後方向）において二つの分割片２Ａ、２Ｂに分割されている。
【００３１】
具体的には、ソフトルアー１は、その長さ方向の中間部（詳述すると魚の肛門部又はその近傍）にて魚の頭部側の分割片２Ａ（これを「第１分割片２Ａ」ともいう）と魚の尾部側の分割片２Ｂ（これを「第２分割片２Ｂ」ともいう）とに二分割されている。そして、分割片２Ａ、２Ｂ同士が離間した状態で両分割片２Ａ、２Ｂ間にてソフトルアー１の鉛直縦断面に沿ってソフトルアー１の長さ方向に連続する連結シート３を介して連結されている。
【００３２】
両分割片２Ａ、２Ｂはそれぞれ軟質素材の成形体からなる。軟質素材としては、一般にソフトルアーの素材として用いられている軟質樹脂（例：ポリ塩化ビニル、ポリエチレン、シリコーン樹脂）や軟質ゴムが用いられる。なお、軟質素材には通常、当該素材の柔軟性を高めるための可塑剤が多量に添加されている。また、その成形方法としては、溶融した軟質素材を型内に注入し固化することにより分割片の形状に成形する方法（この方法を便宜上「型成形法」という）が用いられ、具体的には型成形法として射出成形法などが用いられる。
【００３３】
連結シート３は、両分割片２Ａ、２Ｂがそれぞれ有する可撓性よりも高い可撓性を有するシート材で形成されている。シート材は各分割片２Ａ、２Ｂを形成する軟質素材とは異なるシート状素材からなり、各分割片２Ａ、２Ｂとは別体に形成されたものである。そして、第１分割片２Ａが連結シート３の長さ方向の一端部（前端部）に、当該一端部との軟質素材の一体成形により固着されており、また、第２分割片２Ｂが連結シート３の長さ方向の他端部（後端部）に、当該他端部との軟質素材の一体成形により固着されている。
【００３４】
すなわち、連結シート３の長さ方向の一端部が挿入された型内に溶融した軟質素材が注入されて当該一端部と一体になるように固化されることにより、当該一端部に第１分割片２Ａが固着されており、また、連結シート３の長さ方向の他端部が挿入された型内に溶融した軟質素材が注入されて当該他端部と一体になるように固化されることにより、当該他端部に第２分割片２Ｂが固着されている。
【００３５】
具体的には例えば、第１分割片２Ａは連結シート３の長さ方向の一端部にインサート成形により固着されており、また同じく第２分割片２Ｂは連結シート３の長さ方向の他端部にインサート成形により固着されている。
【００３６】
さらに、連結シート３の表面における少なくともその長さ方向の一端部には、第１分割片２Ａに対してアンカー効果を発揮する複数の凹部又は／及び凸部が設けられており、また、連結シート３の表面における少なくともその長さ方向の他端部には、第２分割片２Ｂに対してアンカー効果を発揮する複数の凹部又は／及び凸部が設けられている。これにより、各分割片２Ａ、２Ｂの連結シート３との固着強度が高められている。そのため、ソフトルアー１の耐用寿命を長くすることができる。
【００３７】
ここで本第１実施形態では、連結シート３を形成するシート材として網シート材４が用いられている。この網シート材４は、ポリアミド（例：ナイロン）、ポリエチレンなどの樹脂製であり、上述したように両分割片２Ａ、２Ｂがそれぞれ有する可撓性よりも高い可撓性を有している。なお、この網シート材４は詳述すると菱形格子状の網シート材である。
【００３８】
このように、シート材として網シート材４が用いられることにより、連結シート３において網シート材４の各網目孔が分割片２Ａ、２Ｂに対してアンカー効果を発揮する凹部として機能するため、連結シート３の表面にわざわざアンカー効果を発揮する凹部を形成する作業又は処理を行う必要がない。したがって、各分割片２Ａ、２Ｂの連結シート３との固着強度を容易に高めることができる。
【００３９】
しかも、各分割片２Ａ、２Ｂが連結シート３に固着された状態では、各分割片２Ａ、２Ｂにおいて軟質素材が網シート材４の各網目孔内で一体に繋がっているので、各分割片２Ａ、２Ｂの連結シート３との固着強度が非常に高くなっている。そのため、ソフトルアー１の耐用寿命を更に長くすることができる。
【００４０】
網シート材４（即ち連結シート３）の厚さは限定されるものでなく、通常０．２ｍｍ〜１ｍｍの範囲である。また、網シート材４のメッシュは限定されるものではく、通常５０メッシュ〜８．５メッシュの範囲である。
【００４１】
本第１実施形態のソフトルアー１によれば、連結シート３が、両分割片２Ａ、２Ｂがそれぞれ有する可撓性よりも高い可撓性を有するシート材で形成されているので、連結シート３が各分割片２Ａ、２Ｂよりも屈曲（撓曲）し易くなっている。そのため、ソフトルアー１が水中にキャストされると、当該ソフトルアー１は例えば水流や水面上を流れる風により自発的に揺動するし、リトリーブ時には優れた首振り運動等の揺動運動を行いうる。これによりソフトルアー１の揺動運動を餌となる魚の動きに似せることができて、釣りたい魚を効果的に誘引することができる。
【００４２】
さらに、連結シート３が両分割片２Ａ、２Ｂ間にてソフトルアー１の鉛直縦断面に沿ってソフトルアー１の長さ方向に連続しているので、ソフトルアー１は確実に左右方向に揺動運動する。これによりソフトルアー１の揺動運動を餌となる魚の動きにより一層似せることができる。
【００４３】
また、ソフトルアー１において、両分割片２Ａ、２Ｂの離間距離ｄ（図４参照）は３ｍｍ以上であることが好ましい。この場合、両分割片２Ａ、２Ｂ間における各分割片２Ａ、２Ｂの揺動可能な角度を大きくすることができる。これにより、ソフトルアー１の揺動振幅を大きくすることができて、釣りたい魚に対する誘引効果を確実に高めることができる。ｄのより好ましい下限は７ｍｍある。
【００４４】
ｄの上限は限定されるものではないが、特に２０ｍｍあることが好ましい。その理由は、ソフトルアー１のサイズや形状により揺動運動の角度や幅の調整が必要だからである。
【００４５】
ここで本第１実施形態では、連結シート３を形成するシート材は上述したように菱形格子状の網シート材４であるが、本考案では、シート材は菱形格子状網シート材４であることに限定されるものではなく、その他に例えば方形格子状の網シート材であってもよいし、更に、図５に示した本考案の第２実施形態に係るソフトルアー１Ａのように、網目が亀甲状のハニカム網シート材５であってもよい。ハニカム網シート材５は、一般に、菱形格子状や方形格子状の網シート材４に比べて屈曲（撓曲）方向に方向性を有しないので、連結シート３の屈曲（撓曲）方向の均一化を図ることができる。これによりソフトルアー１Ａの揺動運動を確実に高めることができる。なお、本第２実施形態のソフトルアー１Ａのその他の構成は上記第１実施形態のソフトルアー１と同じである。
【００４６】
さらに本考案では、連結シート３を形成するシート材は図示していないが不織布材であってもよい。この場合、連結シート３を確実に屈曲し易くすることができ、そのためソフトルアーの揺動運動を確実に高めることができる。
【００４７】
さらに、不織布材はその表面が凸凹しているため、連結シート３の表面にわざわざ分割片に対してアンカー効果を発揮する凹部又は／及び凸部を形成する作業又は処理を行う必要がない。そのため、各分割片２Ａ、２Ｂの連結シート３との固着強度を容易に高めることができる。
【００４８】
不織布材はマスクなどに用いられるものであり、その原料として化学繊維（例：ポリエステル繊維、ポリプロピレン繊維、ナイロン繊維）などが用いられる。不織布材の厚さは限定されるものでなく、通常０．２ｍｍ〜１ｍｍの範囲である。
【００４９】
以上で本考案の実施形態を説明したが、本考案は上記実施形態に限定されるものではなく、本考案の要旨を逸脱しない範囲で様々に変更可能である。
【００５０】
例えば、上記実施形態のソフトルアーの分割数は２であるが、本考案に係るソフトルアーの分割数は２に限定されるものではなく、３以上（例：３〜５）であってもよい。
【産業上の利用可能性】
【００５１】
本考案は釣り用ソフトルアーに利用可能である。
【符号の説明】
【００５２】
１、１Ａ：ソフトルアー
２Ａ、２Ｂ：分割片
３：連結シート
４：菱形格子状網シート材
５：ハニカム網シート材
７：釣針
【図１】
0003231387.tif 000003
【図２】
0003231387.tif 000004
【図３】
0003231387.tif 000005
【図４】
0003231387.tif 000006
【図５】
0003231387.tif 000007